(57)【要約】【課題】各通信エリア別に無線基地局と無線端末局の接続状態を監視でき、監視効率を向上することができる構内無線通信システムを提供する。【解決手段】構内無線通信システムのサービスエリア１０内を複数の通信エリア１１ａ〜１１ｄに分割し、各通信エリア１１ａ〜１１ｄ内に無線基地局を設置する。各無線基地局は、個々のＢＳ番号を設定すると共に各エリア毎に同一の部門番号を設定する。通信エリア１１ａ〜１１ｄを移動する無線端末局２０ａ、２０ｂ、…は、最寄りの無線基地局を介して管理局装置１７に位置登録を行う。管理局装置１７は、各通信エリア１１ａ〜１１ｄに対応して設けた表示装置１８ａ〜１８ｄを備える。表示装置１８ａ〜１８ｄは、無線基地局からの位置登録情報を受信した際、ＢＳ番号及び部門番号から監視エリアの無線基地局を特定し、監視エリアの無線基地局及び位置登録を行った無線端末局に関する情報のみを表示する。【選択図】      図１
2010098464.tif 000002
【特許請求の範囲】
【請求項１】
複数の無線基地局と複数の無線端末局を有する構内無線通信システムにおいて、
サービスエリア内を複数の通信エリアに分割する手段と、前記分割された通信エリア内にそれぞれ設置され、個々の識別番号及び前記通信エリア毎に同一のエリア番号が設定される無線基地局と、前記通信エリア内にて前記無線基地局を介して位置登録する無線端末局と、前記各通信エリアに対応して設けられ、前記無線基地局から送られてくる位置登録情報を受信した際、前記特定エリア番号の無線基地局及び前記位置登録した無線端末局に関する情報のみを表示する表示装置とを具備することを特徴とする構内無線通信システム。
【発明の詳細な説明】
【技術分野】
【０００１】
本発明は、無線基地局とそのサービスエリア内を移動して前記無線基地局と無線通信を行う複数の無線端末局を有する構内無線通信システムに関する。
【背景技術】
【０００２】
従来、例えば広い敷地を有する工場等においては、コードレス電話システム（ＰＨＳ）等の構内無線通信システムが使用されている（例えば、特許文献１参照。）。
上記構内無線通信システムは、所定のサービスエリア内にて分割された通信エリア毎に配置された複数の無線基地局と、前記各通信エリア内にて前記無線基地局の一つと無線接続する端末局と、前記端末局の位置情報を表示する表示装置を含んで前記無線基地局同士を接続制御する管理装置とを有している。
【０００３】
前記端末局は、通話時または数分おきに位置登録電文を送信しており、最寄りの無線基地局がこの位置登録電文を受信して管理局装置へ送信する。管理局装置は、受信した位置登録電文を表示装置に表示し、端末局がどの無線基地局と接続しているかを管理している。
【０００４】
【特許文献１】特開２００１−２５０５５号公報
【発明の開示】
【発明が解決しようとする課題】
【０００５】
上記従来の構内無線通信システムは、各端末局から送られてくる位置情報を上記表示装置に表示し、各端末局がどの無線基地局と接続されているかを認識できるように構成している。
上記構内無線通信システムにおいて、各通信エリア（無線ゾーン）に対応させてそれぞれ表示装置を設置し、各端末局から送られてくる位置情報を各表示装置に送信して表示させ、各端末局の位置情報を通信エリア別に管理することが考えられる。
【０００６】
しかし、各端末局から送られてくる位置情報を各通信エリアに対応して設けた表示装置に送信して表示させると、各端末局から送られてくる位置情報は全ての表示装置に表示されてしまうので、端末局の位置情報を通信エリア別に管理することができず、端末局がどの通信エリアの無線基地局に接続されているかを容易に識別することができないという問題がある。
【０００７】
本発明は上記の課題を解決するためになされたもので、その目的とするところは、通信エリア別に無線端末局の位置情報を管理することができ、無線端末局がどの通信エリアの無線基地局に接続されているかを容易に識別でき、監視効率を向上することができる構内無線通信システムを提供することにある。
【課題を解決するための手段】
【０００８】
本発明は、複数の無線基地局と複数の無線端末局を有する構内無線通信システムにおいて、サービスエリア内を複数の通信エリアに分割する手段と、前記分割された通信エリア内にそれぞれ設置され、個々の識別番号及び前記通信エリア毎に同一のエリア番号が設定される無線基地局と、前記通信エリア内にて前記無線基地局を介して位置登録する無線端末局と、前記各通信エリアに対応して設けられ、前記無線基地局から送られてくる位置登録情報を受信した際、前記特定エリア番号の無線基地局及び前記位置登録した無線端末局に関する情報のみを表示する表示装置とを具備することを特徴とする。
【発明の効果】
【０００９】
本発明によれば、各表示装置に監視エリアにおける無線基地局及び無線端末局の位置情報等を表示することにより、無線端末局がどの通信エリアの無線基地局に接続されているかを容易に識別可能でき、監視効率を向上することができる。
【発明を実施するための最良の形態】
【００１０】
以下、図面を参照して本発明の一実施形態を説明する。
図１は本発明の一実施形態に係る構内無線通信システムの全体の構成を示す図である。図１において、１０は構内無線通信システムのサービスエリアで、複数例えば第１ないし第４通信エリア１１ａ〜１１ｄに分割され、各通信エリア１１ａ〜１１ｄにはそれぞれ少なくとも１つの無線基地局が設置される。この場合の例では、第１通信エリア１１ａに２つの無線基地局１２ａ、１２ｂ、第２通信エリア１１ｂに３つの無線基地局１３ａ〜１３ｃ、第３通信エリア１１ｃに４つの無線基地局１４ａ〜１４ｄ、第４通信エリア１１ｄに１つの無線基地局１５が設置される。
【００１１】
上記無線基地局１２ａ、１２ｂ、１３ａ〜１３ｃ、１４ａ〜１４ｄ、１５には、それぞれ固有の識別番号、例えば無線基地局番号（以下、ＢＳ（Base Station）番号という）が個別に割り当てられる。例えば
無線基地局１２ａにはＢＳ番号：１
無線基地局１２ｂにはＢＳ番号：２
無線基地局１３ａにはＢＳ番号：３
無線基地局１３ｂにはＢＳ番号：４
無線基地局１３ｃにはＢＳ番号：５
無線基地局１４ａにはＢＳ番号：６
無線基地局１４ｂにはＢＳ番号：７
無線基地局１４ｃにはＢＳ番号：８
無線基地局１４ｄにはＢＳ番号：９
無線基地局１５  にはＢＳ番号：１０
が割り当てられる。
【００１２】
そして、上記無線基地局１２ａ、１２ｂ、１３ａ〜１３ｃ、１４ａ〜１４ｄ、１５は、伝送ライン１６を介して管理局装置１７に接続される。各無線基地局１２ａ、１２ｂ、１３ａ〜１３ｃ、１４ａ〜１４ｄ、１５は、無線端末局２０ａ、２０ｂ、…から送られてくる位置登録電文を受信すると、この位置登録電文に上記ＢＳ番号を付加して伝送ライン１６により管理局装置１７へ出力する。
【００１３】
管理局装置１７は、上記各通信エリア１１ａ〜１１ｄをそれぞれ管理する表示装置１８ａ〜１８ｄを備えており、上記無線基地局１２ａ、１２ｂ、１３ａ〜１３ｃ、１４ａ〜１４ｄ、１５の接続制御を行う。上記管理局装置１７と表示装置１８ａ〜１８ｄとの間は、例えばＬＡＮ回線１９により接続される。
【００１４】
上記表示装置１８ａ〜１８ｄは、各通信エリア１１ａ〜１１ｄに対応して設けられるもので、それぞれ個別の表示装置番号が設定される。例えば、
第１通信エリア１１ａを管理する表示装置１８ａには、表示装置番号：１
第２通信エリア１１ｂを管理する表示装置１８ｂには、表示装置番号：２
第３通信エリア１１ｃを管理する表示装置１８ｃには、表示装置番号：３
第４通信エリア１１ｄを管理する表示装置１８ｄには、表示装置番号：４
が設定される。各表示装置１８ａ〜１８ｄは、設定された自己の表示装置番号を記憶している。
【００１５】
また、表示装置１８ａ〜１８ｄが管理する通信エリア１１ａ〜１１ｄには、各エリア毎にエリア番号例えば部門番号を定め、その管理下にある無線基地局は全て同じ部門番号を設定する。この場合、通信エリア１１ａ〜１１ｄの部門番号は、管理している表示装置１８ａ〜１８ｄの表示装置番号と同じ番号に設定する。すなわち、この場合の例では、
第１通信エリア１１ａの無線基地局１２ａ、１２ｂには部門番号：１
第２通信エリア１１ｂの無線基地局１３ａ〜１３ｃには部門番号：２
第３通信エリア１１ｃの無線基地局１４ａ〜１４ｄには部門番号：３
第４通信エリア１１ｄの無線基地局１５には部門番号：４
が設定される。
【００１６】
上記表示装置１８ａ〜１８ｄは、各無線基地局の位置情報を管理し、表示するために各無線基地局の構成情報を記憶した図２に示す情報ファイル２１を備えており、この情報ファイル２１に上記した各無線基地局のＢＳ番号及び部門番号を登録し、ＢＳ番号から各無線基地局の部門番号を検索できるようにしている。
【００１７】
そして、上記構内無線通信システムのサービスエリア１０内を移動する無線端末局２０ａ、２０ｂ、…は、各通信エリア１１ａ〜１１ｄ内において、電波条件の良い無線基地局を介して位置登録を行う。上記無線端末局２０ａ、２０ｂ、…は、通話時または数分おきに位置登録電文を送信しており、無線端末局２０ａ、２０ｂ、…が位置している通信エリア１１ａ〜１１ｄにおける最寄りの無線基地局１２ａ、１２ｂ、１３ａ〜１３ｃ、１４ａ〜１４ｄ、１５が上記位置登録電文を受信し、ＢＳ番号を付加して管理局装置１７へ送信する。管理局装置１７は、受信した位置登録電文からＢＳ番号を取得し、このＢＳ番号及び部門番号に基づいて位置情報等を所定の表示装置１８ａ〜１８ｄに表示し、無線端末局２０ａ、２０ｂ、…がどの無線基地局と接続しているかを管理する。
【００１８】
以下、上記構内無線通信システムの動作を図３に示すフローチャートを参照して説明する。図３は管理局装置１７及び表示装置１８ａ〜１８ｄの処理動作を示すフローチャートである。
管理局装置１７は、無線基地局１２ａ、１２ｂ、１３ａ〜１３ｃ、１４ａ〜１４ｄ、１５から位置登録電文が送られてきているかどうかを常にチェックし（ステップＡ１）、位置登録電文が送られてくると、その位置登録電文を表示装置１８ａ〜１８ｄへ送信する。表示装置１８ａ〜１８ｄは、無線基地局１２ａ、１２ｂ、１３ａ〜１３ｃ、１４ａ〜１４ｄ、１５の何れかから位置登録電文が送られてくると、位置登録電文からＢＳ番号を取得し（ステップＡ２）、このＢＳ番号により図２に示した情報ファイル２１内を探索し、上記ＢＳ番号を有する無線基地局１２ａ、１２ｂ、１３ａ〜１３ｃ、１４ａ〜１４ｄ、１５の部門番号を取得する（ステップＡ３）。そして、表示装置１８ａ〜１８ｄは、取得した部門番号と自己の表示装置番号が一致しているかどうかをチェックし（ステップＡ４）、一致している場合は上記位置登録電文からその無線基地局の位置情報や、位置登録電文を出力した無線端末局２０ａ、２０ｂ、…の情報を表示し（ステップＡ５）、不一致の場合は表示処理をせずに（ステップＡ６）、そのまま処理を終了する。
【００１９】
以下、具体的な例として第１通信エリア１１ａ内に位置している無線端末局２０ａから無線基地局１２ａに位置登録電文を送信した場合について説明する。
上記のように無線端末局２０ａから位置登録電文が送信され、この位置登録電文を無線基地局１２ａが受信すると、無線基地局１２ａは受信した位置登録電文に自己のＢＳ番号「１」を付加して管理局装置１７へ送出する。管理局装置１７は無線基地局１２ａから位置登録電文が送られてくると（ステップＡ１）、その位置登録電文を表示装置１８ａ〜１８ｄへ出力する。表示装置１８ａ〜１８ｄは、無線基地局１２ａから送られてきた位置登録電文から無線基地局１２ａのＢＳ番号「１」を取得し（ステップＡ２）、このＢＳ番号「１」により情報ファイル２１内を探索して、ＢＳ番号「１」が設定されている無線基地局１２ａの部門番号「１」を取得する（ステップＡ３）。
【００２０】
そして、各表示装置１８ａ〜１８ｄは、取得した部門番号「１」と自己の表示装置番号が一致しているかどうかをチェックする（ステップＡ４）。この場合、表示装置１８ａにおいては、取得した無線基地局１２ａの部門番号「１」と自己の表示装置番号「１」が一致するので、上記位置登録電文からその無線基地局１２ａの位置情報や、位置登録電文を出力した無線端末局２０ａの情報を画面に表示する（ステップＡ５）。
【００２１】
しかし、その他の表示装置１８ｂ〜１８ｄは、取得した部門番号「１」と自己の表示装置番号が一致しないので、表示処理をせずに（ステップＡ６）、処理を終了する。
上記実施形態で示したように、各通信エリア１１ａ〜１１ｄに対応して設けた表示装置１８ａ〜１８ｄは、無線基地局１２ａ、１２ｂ、１３ａ〜１３ｃ、１４ａ〜１４ｄ、１５から位置登録情報が送られてきた場合に、位置登録情報に付加されているＢＳ番号から部門番号を取得し、この部門番号が自己の表示装置番号に一致している場合のみ位置登録情報を送信した無線基地局及び無線端末局の位置情報等を表示することにより、各通信エリア１１ａ〜１１ｄ別に無線基地局と無線端末局の接続状態等を監視でき、監視効率を向上することができる。
【００２２】
なお、上記実施形態では、サービスエリア１０を４つの通信エリア１１ａ〜１１ｄに分割した場合について示したが、その他の数に分割した場合であっても上記実施形態と同様にして実施し得るものである。
また、上記実施形態では、通信エリア１１ａ〜１１ｄに設置される各無線基地局の部門番号は、管理している表示装置１８ａ〜１８ｄの表示装置番号と同じ番号に設定したが、各通信エリア１１ａ〜１１ｄ内で同じ番号であれば、表示装置１８ａ〜１８ｄの表示装置番号と同じ番号でなくてもよい。この場合、通信エリア１１ａ〜１１ｄ毎に設定した部門番号は、予め各表示装置１８ａ〜１８ｄに登録し、各表示装置１８ａ〜１８ｄにおいて監視エリアの部門番号と他のエリアの部門番号とを識別できるようにする。
【００２３】
また、本発明は、上記実施形態そのままに限定されるものではなく、実施段階ではその要旨を逸脱しない範囲で構成要素を変形して具体化できるものである。
【図面の簡単な説明】
【００２４】
【図１】本発明の一実施形態に係る構内無線通信システムの全体のシステム構成図である。
【図２】同実施形態において、表示装置に設けられた情報ファイルの記憶構成例を示す図である。
【図３】実施形態に係る構内無線通信システムの動作を示すフローチャートである。
【符号の説明】
【００２５】
１０…サービスエリア、１１ａ〜１１ｄ…第１ないし第４通信エリア、１２ａ、１２ｂ、１３ａ〜１３ｃ、１４ａ〜１４ｄ、１５…無線基地局、１６…伝送ライン、１７…管理局装置、１８ａ〜１８ｄ…表示装置、１９…ＬＡＮ回線、２０ａ、２０ｂ…無線端末局、２１…情報ファイル。
【図１】
2010098464.tif 000003
【図２】
2010098464.tif 000004
【図３】
2010098464.tif 000005